(57)【要約】【課題】物品の形態を有効利用して情報の表示を行なうことが可能となる表示パネルを提供する。【解決手段】表示パネル１は、物品である靴６の筒状部７に挿入される挿入部３と、該挿入部３から連続して延び情報を表示する表示部２と、挿入部３と表示部２との間に設けられ靴６の一部を受け入れる切欠部４と、靴６が載置される載置面９と当接することで表示部２を支持する底部１０とを備える。そして、靴６の一部を受け入れた際に表示部２の周縁部の一部が靴６の外表面に沿って延在するように切欠部４の形状を設定する。【選択図】        図２
2005049395.tif 000002
【特許請求の範囲】
【請求項１】
筒状部（７）を有する物品（６）の前記筒状部（７）に挿入される部分を有し、情報を表示する表示パネル（１）であって、
前記物品（６）の前記筒状部（７）に挿入される挿入部（３）と、
前記挿入部（３）と接続され前記情報を表示する表示部（２）と、
前記挿入部（３）と前記表示部（２）との間に設けられ、前記物品（６）の一部を受け入れる切欠部（４）と、
前記表示部（２）をベース面（９）上で支持する底部（１０）とを備え、
前記物品（６）の一部を受け入れた際に前記表示部（２）の周縁部の一部が前記物品（６）の外表面に沿って延在するように前記切欠部（４）の形状を設定した、表示パネル。
【請求項２】
前記表示部（２）は、前記物品（６）の近傍に位置する空間内に前記物品（６）に沿って配置され、
前記表示部（２）の前記底部（１０）に屈曲可能に設けられ、前記切欠部（４）内に前記物品（６）の一部を受け入れた際に前記表示部（２）の表示面と交差する方向に延在しながら前記物品（６）と当接され、前記ベース面（９）と接する突出部（５）を備えた、請求項１に記載の表示パネル。
【請求項３】
突出部（５）を前記物品（６）の表面に取外し可能に固定した、請求項２に記載の表示パネル。
【発明の詳細な説明】
【０００１】
【発明の属する技術分野】
本発明は、情報を表示する表示パネルに関し、特に筒状部を有する物品の該筒状部に挿入される部分を有し、各種情報を表示する表示パネルに関する。
【０００２】
【従来の技術】
従来から、商品の販売促進のための宣伝・広告などの内容を表示する表示板は知られている。このような表示板が、たとえば、特開２００２−１３２１５０号公報や特開平１１−２９０８１号公報に記載されている。
【０００３】
特開２００２−１３２１５０号公報には、商品の陳列に際し、フック部をトレー等の立壁に引っ掛けることにより、前面板および側面板の表面に印刷した広告表示を前方および両側方の三方向から見せることができる広告表示板が記載されている。
【０００４】
また、特開平１１−２９０８１号公報には、紙または樹脂のシートから裁断された表示板であって、内容が表示された表示板本体と、この表示板本体の両側に表示板本体の背面側へ折曲げられるように連設された取付片とを備え、各取付片には嵌合孔が、当該取付片の外周に連通するように形成されていることを特徴とする表示板が記載されている。
【０００５】
【特許文献１】
特開２００２−１３２１５０号公報
【０００６】
【特許文献２】
特開平１１−２９０８１号公報
【０００７】
【発明が解決しようとする課題】
しかしながら、上記の特開２００２−１３２１５０号公報に記載の広告表示板は、前方からだけでなく側方からも広告表示が見えるように前面板と側面板の双方に広告表示を印刷するようにしただけであり、広告表示板を直接商品と係合させて商品に沿って延在させるなどの工夫が施されていない。そのため、商品形態を有効利用した広告を行なうことが困難であるという問題があった。
【０００８】
他方、特開平１１−２９０８１号公報では、パイプ部材や面状部材に表示板を直接取付けるようにしているが、単に取付片に嵌合孔を設けてパイプ部材や面状部材を受け入れるようにしているだけであり、表示板を商品に沿って積極的に延在させるという工夫が施されていない。そのため、本文献に記載の表示板の場合も、商品形態を有効利用した情報表示を行なうことが困難であるという問題があった。
【０００９】
本発明は、上記のような課題を解決するためになされたものであり、物品の形態を有効利用して情報表示を行なうことが可能となる表示パネルを提供することを目的とする。
【００１０】
【課題を解決するための手段】
本発明に係る表示パネルは、筒状部を有する物品の該筒状部に挿入される部分を有し、情報を表示するものであって、物品の筒状部に挿入される挿入部と、該挿入部と接続され情報を表示する表示部と、挿入部と表示部との間に設けられ物品の一部を受け入れる切欠部と、表示部をベース面上で支持する底部とを備え、物品の一部を受け入れた際に表示部の周縁部の一部が物品の外表面に沿って延在するように切欠部の形状を設定する。ここで、上記の「ベース面」とは、その上で表示部を支持することが可能となる面のことであり、たとえば物品が載置される載置面、当該物品の一部表面、他の物品や部材の一部表面、物品の載置面以外に下地となり得る部分の一部表面などが上記のベース面に該当し得る。
【００１１】
表示パネルが上記のような挿入部と切欠部とを備えることにより、挿入部を物品の筒状部内に挿入した状態で物品の一部を切欠部内に受入れることができる。それにより、表示部を物品の外表面に沿って延在させることができ、たとえば表示部に、物品の各部と対応させながら各部に関する各種情報を表示することができる。その結果、物品の形態を有効に利用した従来にないタイプの新たな情報表示を行なうことができる。その上、表示パネルが、挿入部に加えて、ベース面上で表示部を支持する底部を備えるので、複数箇所で表示パネルを支持することができ、物品に隣接した位置で表示パネルを安定して立設することができる。
【００１２】
上記表示部は、好ましくは、物品の近傍に位置する空間内に物品に沿って配置され、表示パネルは、表示部の底部に屈曲可能に設けられ、切欠部内に物品の一部を受け入れた際に表示部の表示面と交差する方向に延在しながら物品と当接され、ベース面と接する突出部を備えることが好ましい。また、突出部を物品の表面に取外し可能に固定することが好ましい。
【００１３】
【発明の実施の形態】
以下、図１および図２を用いて、本発明の１つの実施の形態について説明する。
【００１４】
本実施の形態における表示パネルは、筒状部を有する物品の該筒状部に挿入される部分を有し、情報を表示するものである。
【００１５】
筒状部を有する物品としては、典型的には動産を挙げることができるが、本実施の形態の思想は不動産にも適用可能であると考えられるので、本願明細書では筒状部を有する不動産も物品の概念に含むものと定義する。物品の具体例としては、筒状部を有する、靴、バッグ、容器、置物、美術品および構造物など様々な物品を挙げることができる。また、表示する情報としては、典型的にはその物品に関する宣伝・広告などの情報を挙げることができるが、物品に直接関連しない情報を表示することも当然に可能である。
【００１６】
本実施の形態における表示パネルは、物品の筒状部に挿入される挿入部と、該挿入部と接続され情報を表示する表示部と、挿入部と表示部との間に設けられ物品の一部を受け入れる切欠部と、表示部を支持する底部とを備える。該底部は、物品が載置される載置面、当該物品の一部表面、他の物品や部材の一部表面、物品の載置面以外に下地となり得る部分の一部表面などのベース面上で表示部を支持する。
【００１７】
図１に、筒状部を有する物品の一例としてのハイカットタイプの靴（たとえば安全靴、スニーカー、登山靴など）の宣伝・広告のために使用可能な表示パネル１の一例を示す。
【００１８】
図１に示す表示パネル１は、全体として略矩形の形状を有し、紙、樹脂、ゴムなどの比較的軟質で軽量の板状部材で構成されている。しかし、表示パネル１の形状や材質は任意に選択可能である。たとえば、表示パネル１の形状を、円形や楕円形などの全体として丸みを帯びた形状としてもよく、全体として四角形以外の多角形形状としてもよい。また、表示パネル１を、紙、樹脂、ゴム以外の材質で構成してもよく、これらを組み合わせた材質で構成してもよい。さらに、図１に示す表示パネル１は一体の板状部材で構成されているが、該表示パネル１の少なくとも一部を別部材で構成し、これらを組合せて表示パネル１を構成することも可能である。
【００１９】
上記の表示パネル１は、図１に示すように、各種情報を表示する表示部２と、靴の筒状部に挿入される略矩形形状の挿入部３と、表示部２と挿入部３とを接続する接続部１１と、靴の甲の部分を受け入れる切欠部４と、靴が載置される載置面（ベース面）と接する底部１０と、該底部１０に屈曲可能に設けられた突出部５とを備える。
【００２０】
切欠部４によって規定される表示部２の周縁部の一部は、図１に示すように、靴の甲の部分の外表面に沿うように湾曲した形状を有し、該表示部２には、靴の宣伝・広告用の文字、図形、記号、イラストなどの各種情報が表示される。図１の例では、一方の表示面にのみ各種情報を表示する場合を示しているが、両方の表示面（表示部２の表裏面）に各種情報を表示するようにしてもよい。
【００２１】
挿入部３は、靴の筒状部に挿入可能となるように幅Ｗおよび長さＬ１が設定される。具体的には、挿入部３の幅Ｗは、筒状部の内側の幅より小さくなるように設定され、挿入部３の長さＬ１は、たとえば筒状部の底部に達し、かつ筒状部の上端からの突出長さが所望の値となるように設定される。
【００２２】
図１の例では、挿入部３は略直線状の底面を有し、該底面が靴の内底（靴を履いたときに足の踵が接する底）と接するようにしている。それにより、挿入部３の底面によって靴の内底上で挿入部３を安定して支持することができる。
【００２３】
なお、図１の例では挿入部３の幅Ｗは一定であるが、挿入部３の底面に向かうにつれて挿入部３の幅Ｗを狭くするようにしてもよい。それにより、挿入部３を筒状部に挿入し易くなる。また、挿入部３の長さＬ１を短くし、接続部１１を筒状部の上端部上に載置し、該筒状部の上端部で接続部１１を支持することも可能である。
【００２４】
切欠部４は、挿入部３の一部を規定する直線状部分と、表示部２の一部を規定する湾曲部分とを有する。直線状部分は、筒状部に沿い、湾曲部分は、靴の甲の部分に沿うように靴の甲の部分に対応した形状を有する。切欠部４がこのような形状を有することにより、靴の甲の部分を切欠部４内に受け入れた際に、表示部２を、靴の甲の部分に近接させ、かつ靴の甲の部分に沿って延在させることができる。
【００２５】
底部１０は、図１の例では、底面が直線状の形状を有し、靴が載置される載置面上で表示部２を支持する。そして、該底部１０を設けた部分における表示部２の長さＬ２は、挿入部３の長さＬ１よりも長くなっている。それにより、挿入部３を筒状部に挿入した状態で、底部１０の底面を上記の載置面に当接させることができ、該底部１０の底面と挿入部３の底面とを含む複数箇所で表示パネル１を支持することができる。その結果、表示パネル１を安定して立設することができる。
【００２６】
上記の底部１０から切欠部４側に突出するように突出部５を設ける。該突出部５は、図１に示すように、その付根部で屈曲可能となっている。靴の甲の部分を切欠部４内に受け入れた際に突出部５をその付根部で屈曲させることにより、表示部２の表示面（各種情報が表示された面）と交差する方向に突出部５を延在させながら突出部５の表面の一部を靴に当接することができる。それにより、靴と表示パネル１との接触面積を増大するとともに載置面上において突出部５の底面をも利用して表示部２を支持することができ、表示パネル１をさらに安定して立設することができる。
【００２７】
突出部５は、靴の表面に取外し可能となるように靴に固定されることが好ましい。たとえば、粘着テープなどの接着材を用いて突出部５を靴に固定することが考えられる。このように突出部５を靴に固定することにより、表示パネル１を靴に装着した後の表示パネル１の位置ずれを抑制することができる。
【００２８】
図２に、図１に示す表示パネル１を靴６に装着した状態を示す。図２に示すように、表示パネル１を靴６に装着する際には、靴６の筒状部７内に挿入部３を挿入するとともに、靴６の甲の部分を切欠部４内に受け入れる。
【００２９】
それにより、靴６の近傍に位置する空間内、特に靴６の甲の部分の近傍であって上方に位置する空間内に、靴６の甲の部分の外表面８に沿って表示部２を配置することができる。したがって、靴６の甲の部分上の空間を有効に利用して情報を表示することができる。
【００３０】
また、図２に示すように、表示部２を靴６の甲の部分近傍に配置することができるので、靴６の各部を示しながら靴６の各部との関連において各種情報を表示することができ、現物の靴６を見ながら各部に関する様々な情報を即座に入手することができ、各情報に関する理解も容易となる。
【００３１】
さらに、靴６自体を広告の一部として利用することができ、靴６と一体化されたインパクトのある広告を行なうことができる。つまり、靴６の形態を有効に利用した従来にないタイプの新たな情報表示を行なうことができる。
【００３２】
さらに、図２に示すように、表示パネル１の底部１０および屈曲状態の突出部５によって載置面９上で表示部２を支持することができ、挿入部３の底面によって靴６の内底上で挿入部３を支持することができ、さらには表示部２が靴６の甲の部分の外表面８と接触する場合には該接触部によっても表示部２を支持することができる。したがって、靴６の一部や靴６の周囲の要素を利用して表示パネル１を複数箇所で安定して支持することができ、前述のように表示パネル１を安定して立設することができる。
【００３３】
以上のように本発明の実施の形態について説明を行なったが、本発明は上記の実施の形態に限定されるものではない。本発明の範囲は特許請求の範囲によって示され、特許請求の範囲と均等の意味および範囲内での全ての変更が含まれる。
【図面の簡単な説明】
【図１】本発明の１つの実施の形態における表示パネルの正面図である。
【図２】本発明の１つの実施の形態における表示パネルを靴に装着した状態を示す図である。
【符号の説明】
１  表示パネル、２  表示部、３  挿入部、４  切欠部、５  突出部、６  靴、７  筒状部、８  外表面、９  載置面、１０  底部、１１  接続部。
【図１】
2005049395.tif 000003
【図２】
2005049395.tif 000004